(57)【要約】  【課題】  操作ボタンの配置の自由度を上げ、且つ装置本体の小型化が可能な携帯端末装置を提供することである。  【解決手段】  携帯電話機（携帯端末装置）１０は、ＬＣＤ１１と、ＬＣＤ１１を駆動するＬＣＤドライバ１６と、ＬＣＤ１１又はＬＣＤドライバ１６を外部応力から保護する保護部材１７と、保護部材１７上に配されたフレキシブルプリント回路１８と、フレキシブルプリント回路１８側に金属接点１９ａ〜１９ｃを有しフレキシブルプリント回路１８上に配されたシートキー１９と、金属接点１９ａ〜１９ｃに対応するようにシートキー１９上に配された操作ボタン１２ａ〜１２ｃとを備える構成とする。【選択図】      図４
2006135833.tif 000002
【特許請求の範囲】
【請求項１】
ＬＣＤと、該ＬＣＤを駆動するＬＣＤドライバと、前記ＬＣＤ又はＬＣＤドライバを外部応力から保護する保護部材と、該保護部材上に配されたフレキシブルプリント回路と、該フレキシブルプリント回路側に１以上の金属接点を有し前記フレキシブルプリント回路上に配されたシートキーと、前記金属接点に対応するように前記シートキー上に配された操作ボタンとを備えた携帯端末装置。
【請求項２】
前記ＬＣＤと前記ＬＣＤドライバと前記保護部材とを固定するシャーシを備えることを特徴とする請求項１記載の携帯端末装置。
【請求項３】
前記保護部材がマグネシウム又はステンレスのプレートであることを特徴とする請求項１又は２記載の携帯端末装置。
【発明の詳細な説明】
【技術分野】
【０００１】
本発明は、携帯電話機等の携帯端末装置に関するものである。
【背景技術】
【０００２】
携帯端末装置、例えば携帯電話機には、液晶表示部と複数の操作ボタンが備えられている。この操作ボタンは一般的にプリント回路基板の表面に形成される導体接点上に配置されている（特許文献１参照）。従って、操作ボタンの配置はプリント回路基板上に限られていた。
【特許文献１】特開平１０−１６４１９６号公報
【発明の開示】
【発明が解決しようとする課題】
【０００３】
しかしながら、プリント回路基板上にのみ操作ボタンを配置する設計では、構造上プリント回路基板を配置できない部分には操作ボタンを配置できない。また、所望の位置に操作ボタンを配置するためにプリント回路基板を配置すると、他の構成部品と重なってしまい電話機本体が厚くなってしまうこともある。このように、操作ボタンを配置する際にはその下にプリント回路基板が必要となるため、操作ボタンの配置の自由度が少なく、電話機本体の小型化の妨げとなったり、デザインの制限があったりする。
【０００４】
例えば、ＬＣＤ（Liquid Crystal Display）ドライバやＬＣＤガラス（特に表示領域外の部分）の上にプリント回路基板と操作ボタンとを配置すると電話機本体が厚くなってしまう。また、ＬＣＤドライバやＬＣＤガラスは荷重・衝撃に弱いので、それらの上に操作ボタンを配置すると故障の原因にもなる。従って、ＬＣＤドライバやＬＣＤガラスの上に操作ボタンが配置されることはなかった。そのため、電話機本体の小型化を妨げる原因の一つとなっていた。
【０００５】
本発明は、操作ボタンの配置の自由度を上げ、且つ装置本体の小型化が可能な携帯端末装置を提供することを目的とする。
【課題を解決するための手段】
【０００６】
上記目的を達成するために本発明の携帯端末装置は、ＬＣＤと、該ＬＣＤを駆動するＬＣＤドライバと、前記ＬＣＤ又はＬＣＤドライバを外部応力から保護する保護部材と、該保護部材上に配されたフレキシブルプリント回路と、該フレキシブルプリント回路側に１以上の金属接点を有し前記フレキシブルプリント回路上に配されたシートキーと、前記金属接点に対応するように前記シートキー上に配された操作ボタンとを備えたものである。
【０００７】
この構成によると、荷重・衝撃に弱いＬＣＤやＬＣＤドライバの上にでも操作ボタンを配置することが可能となる。
【０００８】
上記の携帯端末装置において、前記ＬＣＤと前記ＬＣＤドライバと前記保護部材とを固定するシャーシを備えることが望ましい。
【０００９】
この構成によると、保護部材をシャーシに固定しているので、保護部材とＬＣＤ又はＬＣＤドライバとの間に隙間ができる。従って、操作ボタンが押下されてもＬＣＤやＬＣＤドライバに荷重がかかることはない。
【００１０】
また、前記保護部材にはマグネシウム又はステンレスのプレートを用いることが好ましい。保護部材は薄くて高い剛性を必要とするからである。
【発明の効果】
【００１１】
本発明によれば、ＬＣＤやＬＣＤドライバの上に操作ボタンを配置することができるので、設計の自由度が上がるとともに、携帯端末装置の小型化が可能となる。その際、操作ボタンの下にプリント回路基板が不要となるため、ＬＣＤやＬＣＤドライバに重ねてプリント回路基板を配置しなくてよいので、携帯端末装置が厚くなることはない。
【発明を実施するための最良の形態】
【００１２】
以下、本発明の携帯端末装置の一例として携帯電話機を用いて説明する。図１は携帯電話機の正面図、図２は携帯電話機の右側面図、図３は携帯電話機の背面図である。
【００１３】
図１に示すように、携帯電話機１０の前面には、ＬＣＤ（Liquid Crystal Display）１１や各種操作ボタン１２が配置されている。また図２、図３に示すように、携帯電話機１０の本体は、表キャビネット１３と裏キャビネット１４とからなる。この表キャビネット１３及び裏キャビネット１４の材料としては、硬質樹脂を用いることが好ましく、例えば、ＰＣ（polycarbonate）、ＡＢＳ（Acrylonitrile Butadiene Styrene）の混合材料を好適に用いることができる。
【００１４】
図４は携帯電話機１０の要部の分解斜視図、図５は図１のＡ−Ａ線断面図、図６は図１のＢ−Ｂ線断面図、図７は図６のＣ部の拡大図である。
【００１５】
図４に示すように、裏キャビネット１４内にシャーシ１５が嵌め込まれている。このシャーシ１５は、内蔵部品のほとんどを固定するとともに、携帯電話機１０の剛性を確保するためのものである。また、シャーシ１５にはノイズを低減する役割もある。これらの機能をもたせるため、シャーシ１５の材料としては、高剛性の導電体を用いることができ、例えば、マグネシウムを用いることが好ましい。
【００１６】
そしてシャーシ１５には、ＬＣＤ１１、ＬＣＤ１１を駆動するＬＣＤドライバ１６、ＬＣＤドライバ１６を外部応力から保護する保護部材１７、操作ボタン１２をはじめ各部の回路が形成されたプリント回路基板２０、２１などが固定されている。
【００１７】
保護部材１７上にはフレキシブルプリント回路（ＦＰＣ：Flexible Printed Circuit）１８が載置され、ＦＰＣ１８上にはシートキー１９が載置され、シートキー１９上には、操作ボタン１２ａ〜１２ｃが載置される。
【００１８】
保護部材１７は、Ｔ字型の薄板の３端を同一面側に直角に折り曲げ、折り曲げられた対向する２つの端部に孔１７ａ、１７ｂを形成したものである。そして、孔１７ａ、１７ｂがシャーシ１５に形成された凸部１５ａ、１５ｂに係合して、保護部材１７がシャーシ１５に固定される。保護部材１７にはＬＣＤドライバ１６を保護する役割の他に、ＦＰＣ１８やシートキー１９を固定する役割もある。
【００１９】
更に、図７に示すように、保護部材１７は裏キャビネット１４に形成された支持部１４ａでも支持される。なお、保護部材１７の支持部１４ａに支持される折り曲げられた部分及び支持部１４ａは省略しても構わない。また、保護部材１７には、その上に配される操作ボタン１２ａから１２ｃの操作時の荷重からＬＣＤドライバ１６を保護するため、薄くても剛性の高い材料を用いる必要がある。例えば、マグネシウムやステンレスのプレートを用いることができる。特に、ＳＵＳ６３１−ＣＳＰ−３／４Ｈを用いることが好ましい。
【００２０】
このように、保護部材１７によりＬＣＤドライバ１６が空間を有して覆われているので、操作ボタン１２ａ〜１２ｃが押下されてもＬＣＤドライバに荷重がかかることはない。なお、保護部材１７は薄くて高剛性であればその形状には特に限定はなく、その固定先もＬＣＤ１１やＬＣＤドライバ１６以外であれば特に限定はない。
【００２１】
ＦＰＣ１８は、保護部材１７と同程度の大きさであり、接続部１８ａでプリント回路基板２０に接続されている。また、ＦＰＣ１８は操作ボタン１２ａ〜１２ｃの押下によるＯＮ／ＯＦＦ回路からなり、プリント回路基板２０へ信号を伝達する。
【００２２】
シートキー１９は、そのＦＰＣ１８側に金属接点１９ａ〜１９ｃを有し、金属接点１９ａ〜１９ｃ以外のシート部分は絶縁材で構成される。そして、操作ボタン１２ａ〜１２ｃが押下されると、その下の金属接点１９ａ〜１９ｃがＦＰＣ１８に接触し、ＦＰＣ内の接点部が短絡することにより、操作ボタン１２ａ〜１２ｃの押下が検出される。
【００２３】
操作ボタン１２ａ〜１２ｃは、１枚のシリコンラバー１２ｄ上にポリカーボネート等を凸部として形成したものであり、ＦＰＣ１８の金属接点１９ａ〜１９ｃに対応して配されている。なお、シリコンラバー１２ｄを省略して操作ボタン１２ａ〜１２ｃを別々の部品としてもよい。
【００２４】
上記の携帯電話機１０において、例えば、ＬＣＤドライバ１６の厚みは０．４３ｍｍ又は０．４５ｍｍ、保護部材１７の厚みは０．４ｍｍ、ＦＰＣ１８の厚みは０．２ｍｍ、シートキーの厚みは０．１ｍｍのものを用いることができる。このような薄い部品を用いることで、キャビネットの厚みを増すことなく、ＬＣＤドライバ１６と表キャビネット１３との隙間に保護部材１７、ＦＰＣ１８、シートキー１９、及び操作ボタン１２ａ〜１２ｃを載置することができる。
【００２５】
なお、保護部材１７はＬＣＤ１１上に設けてもよい。特に、ＬＣＤ１１の非表示領域上であれば表示の妨げにもならない。これによりＬＣＤ１１上にも上記と同様の構成で操作ボタンを配置することが可能となる。
【００２６】
以上のように、保護部材１７、ＦＰＣ１８、及びシートキー１９を用いることにより、荷重・衝撃に弱いＬＣＤドライバ１６やＬＣＤ１１の上にでも操作ボタン１２を配置することが可能となる。これにより、操作ボタン１２の下にプリント回路基板が不要となるため、ＬＣＤドライバ１６やＬＣＤ１１に重ねてプリント回路基板を配置しなくてよいので、携帯電話機１０が厚くなることはない。また、従来配置できなかったＬＣＤドライバ１６やＬＣＤ１１の上に操作ボタンを配置することができるので、設計の自由度が上がるとともに、携帯電話機１０の小型化が可能となる。
【産業上の利用可能性】
【００２７】
本発明の携帯端末装置は、ストレート型や折り畳み型の携帯電話機をはじめ、ＰＤＡ、携帯ゲーム機等、ＬＣＤを備える装置に広く利用することができる。
【図面の簡単な説明】
【００２８】
【図１】本発明の携帯電話機の正面図である。
【図２】本発明の携帯電話機の右側面図である。
【図３】本発明の携帯電話機の背面図である。
【図４】本発明の携帯電話機の要部の分解斜視図である。
【図５】図１のＡ−Ａ線断面図である。
【図６】図１のＢ−Ｂ線断面図である。
【図７】図６のＣ部の拡大図である。
【符号の説明】
【００２９】
１０    携帯電話機（携帯端末装置）
１１    ＬＣＤ
１２、１２ａ〜１２ｃ    操作ボタン
１５    シャーシ
１６    ＬＣＤドライバ
１７    保護部材
１８    ＦＰＣ
１９    シートキー
【図１】
2006135833.tif 000003
【図２】
2006135833.tif 000004
【図３】
2006135833.tif 000005
【図４】
2006135833.tif 000006
【図５】
2006135833.tif 000007
【図６】
2006135833.tif 000008
【図７】
2006135833.tif 000009